(57)【要約】【課題】  ＬＣＤ表示部とキー入力部を結合した通常のカメラ付き携帯電話機能に加え、ＬＣＤ表示部とキー入力部に分離して使用でき、ＬＣＤ表示部にバッテリーパックを接続して、ＬＣＤ表示部を携帯性に優れた再生付きデジタルカメラとして利用できる携帯電話装置を得る【解決手段】  ＬＣＤ表示部１００ａとキー入力部１００ｂと外部電源であるバッテリーパック１０１から構成され、ＬＣＤ表示部１００ａとキー入力部１００ｂとの結合時にはカメラ付き携帯電話として機能し、ＬＣＤ表示部１００ａとキー入力部１００ｂとを分離し、ＬＣＤ表示部１００ａにバッテリーパック１０１を接続してＬＣＤ表示部１００ａをデジタルカメラとし機能させるようにした。【選択図】図１
2005223435.tif 000002
【特許請求の範囲】
【請求項１】
ＬＣＤ表示部とキー入力部と外部電源であるバッテリーパックから構成され、
上記ＬＣＤ表示部は、カメラ部とシャタースイッチとメモリとＬＣＤと、上記キー入力部にも上記バッテリーパックにも接続できる接続用コネクタと、これらを制御する制御用ＣＰＵとを有し、
上記キー入力部は、キー群とメモリと、上記ＬＣＤ表示部との接続用コネクタと、これら及び上記ＬＣＤ表示部を制御する制御用ＣＰＵとを有し、
上記ＬＣＤ表示部と上記キー入力部との結合時にはカメラ付き携帯電話として機能し、
上記ＬＣＤ表示部と上記キー入力部とを分離し、上記ＬＣＤ表示部に上記バッテリーパックを接続して上記ＬＣＤ表示部をデジタルカメラとし機能させるようにしたことを特徴とする携帯電話装置。
【請求項２】
上記キー入力部には、さらに、音源生成回路とスピーカとマイクと無線部とアンテナとを有していることを特徴とする請求項１記載の携帯電話装置。
【請求項３】
上記キー入力部から上記ＬＣＤ表示部を分離し、上記ＬＣＤ表示部の上記接続用コネクタに上記バッテリーパックが接続されたことを検出する検出回路を上記ＬＣＤ表示部に備え、上記検出回路が上記バッテリーパックの接続を検出したとき、これを上記ＬＣＤ表示部の上記制御用ＣＰＵに伝えて、上記制御用ＣＰＵが上記ＬＣＤ表示部を独立してデジタルカメラとして機能するようにしたことを特徴とする請求項１又は請求項２記載の携帯電話装置。
【請求項４】
分離した上記キー入力部と上記ＬＣＤ表示部を逆挿し接続して結合したとき、これを検出する検出回路を上記ＬＣＤ表示部に備え、上記検出回路が逆挿し接続を検出したとき、これを上記ＬＣＤ表示部の上記制御用ＣＰＵに伝えて、上記ＬＣＤ表示部と上記キー入力部間の信号線を入れ換えることにより正常動作させるようにしたことを特徴とする請求項１又は請求項２記載の携帯電話装置。
【発明の詳細な説明】
【技術分野】
【０００１】
この発明は、携帯電話装置に関し、特に、ＬＣＤ（liquid crystal display）表示部とキー入力部が分離可能な構成に係わるものである。
【背景技術】
【０００２】
従来のカメラ付き携帯電話装置では、ＬＣＤ表示部とキー入力部の分離ができなかった。
なお、プラグイン型のコネクタを備えたデジタルカメラを、携帯電話に接続し、デジタルカメラで撮影した映像をデジタルカメラ側に備えているデータ転送手段を介して携帯電話のディスプレイに表示するものは、特許文献1に開示されている。
【０００３】
【特許文献１】特開２００２−７７７０１号公報
【発明の開示】
【発明が解決しようとする課題】
【０００４】
従来のカメラ付き携帯電話装置では、ＬＣＤ表示部とキー入力部の分離ができず、デジタルカメラとして利用したい場合にも携帯電話として動作していたため、消費電流も大きく、また携帯性にも欠けていた。さらに電波の届かない場所や海外旅行で使用した場合には、消費電流が大きいため、渡航先で電池を消耗し、帰国した際に電話として使用できない自体に陥ることもしばしばあった。
なお、特許文献１のプラグイン型のコネクタを備えたデジタルカメラを、携帯電話に接続し、撮影した映像をデジタルカメラ側に備えているデータ転送手段を介して携帯電話のディスプレイに表示するものは、デジタルカメラで撮影した映像を、携帯電話と分離した状態では、デジタルカメラ自体で再生することはできなかった。
【０００５】
この発明は、上記のような問題点を解消するためになされたもので、ＬＣＤ表示部とキー入力部に分離して使用でき、携帯性に優れると共に、ＬＣＤ表示部のみで再生付きデジタルカメラとして利用できる携帯電話装置を得ることを目的としている。
【課題を解決するための手段】
【０００６】
この発明に係わる携帯電話装置は、ＬＣＤ表示部とキー入力部と外部電源であるバッテリーパックから構成され、上記ＬＣＤ表示部は、カメラ部とシャタースイッチとメモリとＬＣＤと、上記キー入力部にも上記バッテリーパックにも接続できる接続用コネクタと、これらを制御する制御用ＣＰＵとを有し、上記キー入力部は、キー群とメモリと、上記ＬＣＤ表示部との接続用コネクタと、これら及び上記ＬＣＤ表示部を制御する制御用ＣＰＵとを有し、上記ＬＣＤ表示部と上記キー入力部との結合時にはカメラ付き携帯電話として機能し、上記ＬＣＤ表示部と上記キー入力部とを分離し、上記ＬＣＤ表示部に上記バッテリーパックを接続して上記ＬＣＤ表示部をデジタルカメラとし機能させるようにしたものである。
【発明の効果】
【０００７】
この発明のカメラ付き携帯電話装置によれば、ＬＣＤ表示部とキー入力部を結合した通常のカメラ付き携帯電話機能に加え、ＬＣＤ表示部とキー入力部に分離して使用でき、ＬＣＤ表示部にバッテリーパックを接続して、ＬＣＤ表示部を携帯性に優れた再生付きデジタルカメラとして利用できる携帯電話装置を得ることができる。
【発明を実施するための最良の形態】
【０００８】
実施の形態１．
図１はこの発明の実施の形態１である携帯電話装置の構成を示すブロック図である。図２は実施の形態１である携帯電話装置を分離したＬＣＤ表示部とキー入力部並びにバッテリーパックを示す分解斜視図である。図において、携帯電話装置はＬＣＤ表示部１００ａとキー入力部１００ｂと外部電源であるバッテリーパック１０１（図２参照）から構成され、ＬＣＤ表示部１００ａに設けられた接続用コネクタ１０２ａと、キー入力部１００ｂに設けられた接続用コネクタ１０２ｂとが接続されて、携帯電話装置のカメラ付き携帯電話の通常使用時の構成となっている。１はキー入力部１００ｂに搭載されたメイン（制御用）ＣＰＵ１１からの制御によりカメラ部７やＬＣＤ４などを制御するグラフィック（制御用）ＣＰＵで、カメラ部７で撮影された画像のデータを所定のフォーマットに圧縮変換したり、色数やサイズの変換を行う。上記グラフィックＣＰＵ１には、そのＣＰＵの制御プログラム及び固定的なデータを格納したＲＯＭとそのＣＰＵの一時記憶や作業領域を提供するＲＡＭメモリを内蔵している。
【０００９】
２はシャッタースイッチ、３はカメラ画像のデータなどを保存しておくためのメモリカード、４は画像や文字情報を表示するＬＣＤ（液晶ディスプレイ）、５はＬＣＤ表示部１００ａとキー入力部１００ｂを分離した場合の電源回路、６はＬＣＤ表示部１００ａとキー入力部１００ｂを分離したこと、通常どおり正常接続したこと、及び逆挿し接続したことを検出する検出回路である。７は画像を撮影するＣＣＤカメラ部、８はレシーバ、９は逆差し接続時にＬＣＤ表示部１００ａとキー入力部１００ｂ間の信号線を入れ換える第１セレクタ、１０はキー入力部１００ｂの内部電池１４か外部のバッテリーパック１０１かを選択するための第２セレクタである。
【００１０】
１１は携帯電話装置のＬＣＤ表示部１００ａとキー入力部１００ｂの全体を制御するメインＣＰＵで、このＣＰＵ１１の制御プログラム及び固定的なデータを格納したＲＯＭとこのＣＰＵ１１の一時記憶や作業領域を提供するＲＡＭメモリを内蔵している。１２はテンキーや文字キーを含むキー群、１３は電源回路、１４は内部電池、１５は音の鳴動を司る音源生成回路、１６は音を鳴らすスピーカー、２０はマイク、１７はフラッシュメモリ、１８は音声やデータの無線通信を制御する変復調回路及び通信回路を有する無線部、１９はアンテナである。
【００１１】
図２において、その（ａ）図はＬＣＤ表示部１００ａを示し、その（ｂ）図はキー入力部１００ｂを示し、その（ｃ）図はキー入力部１００ｂから分離したＬＣＤ表示部１００ａの外部電源として接続するバッテリーパック１０１を示す。キー入力部１００ｂの回動部５１は両端のケース枠５２で回動可能に枢着されている。回動部５１には係合爪５３，５３が回動部５１の両端側方向にバネ（図示せず）で押圧保持されており、これらをＬＣＤ表示部１００ａの係合穴５４，５４に挿入することにより、ＬＣＤ表示部１００ａをキー入力部１００ｂに機械的に結合する。この結合と同時にピン端子群５５と端子受け群５６が電気的に接続される。
【００１２】
ＬＣＤ表示部１００ａとキー入力部１００ｂを結合した状態で、回動部５１を回動させることにより、ＬＣＤ表示部１００ａとキー入力部１００ｂを折りたたむことができる。また、ＬＣＤ表示部１００ａとキー入力部１００ｂを結合した状態で、回動部５１の両端のボタン５７，５７を押圧することにより、係合爪５３，５３をバネの押圧に反して移動されることにより係合爪５３，５３を係合穴５４，５４から離脱させることができ、ＬＣＤ表示部１００ａとキー入力部１００ｂを分離できる。
【００１３】
ＬＣＤ表示部１００ａとキー入力部１００ｂを分離した状態で、ＬＣＤ表示部１００ａにバッテリーパック１０１を結合し、同時にピン端子群５８と端子受け群５６が電気的に接続され、外部電源であるバッテリーパック１０１がＬＣＤ表示部１００ａに接続される。なお、ＬＣＤ表示部１００ａとバッテリーパック１０１との結合を機械的に強固にするために、バッテリーパック１０１に係合爪を設け、ＬＣＤ表示部１００ａの係合穴５４に嵌め合わせることは効果的である。
【００１４】
図３は実施の形態１である携帯電話装置のＬＣＤ表示部とバッテリーパック接続時の構成を示すブロック図である。バッテリーパック１０１にはＬＣＤ表示部１００ａの接続用コネクタ１０２ａと接続する接続用コネクタ１０３を有している。バッテリーパック１０１の電池４１はＬＣＤ表示部１００ａとの接続時に両コネクタ１０３，１０２ａを介してＬＣＤ表示部１００ａの電源回路５に接続される。グラフィックＣＰＵ1は、ＬＣＤ表示部１００ａとキー入力部１００ｂを分離した場合には、メインＣＰＵ１１からの制御無しでデジタルカメラ機能を動作させる。レシーバ８はデジタルカメラ機能のときはシャッタ音等を鳴らすサウンダーの役目をする。
【００１５】
この携帯電話装置の通常使用時の動作について、図１および図５を用いて説明する。図５はこの発明の動作モード設定を説明するフローチャートである。ＬＣＤ表示部１００ａとキー入力部１００ｂとが結合された通常使用時には、検出回路チェックＳ１で、検出回路６のコネクタ１０２ａに接続されたαラインがＬ（lowレベル）、βラインがＬとなるため、検出回路６からは通常モードを示す信号がグラフィックＣＰＵ１に送られる。なお、このとき、αラインはグランドに接地されている信号線Ａに接続されるため、Ｌレベルとなり、βラインもグランドに接地されている信号線Ａに接続されるため、Ｌレベルとなる。上記通常モードを示す信号を受け取ったグラフィックＣＰＵ１は、スレーブモードに自らを設定し（Ｓ２）、第１セレクタ９の信号としてＡラインを選定し（Ｓ３）、第２セレクタ１０を内部電源１４に設定する（Ｓ４）。これにより結合したカメラ付き携帯電話と同様の機能が可能となる。
【００１６】
この携帯電話装置のＬＣＤ表示部とキー入力部の分離時で、ＬＣＤ表示部にバッテリーパック装着時の動作を図３および図５を用いて説明する。ＬＣＤ表示部１００ａとキー入力部１００ｂを分離し、ＬＣＤ表示部１００ａにバッテリーパック１０１を装着すると、検出回路チェックＳ１で、検出回路６のαラインがＨ（highレベル）、βラインがＨとなるため、検出回路６からはデジタルカメラモードを示す信号がグラフィックＣＰＵ１に送られる。なお、このとき、バッテリーパック１０１から信号線Ａに電源のＨレベルが供給されるため、αラインとβラインは共に、Ｈレベルとなる。上記デジタルカメラモードを示す信号を受け取ったグラフィックＣＰＵ１は、マスタモードに自らを設定し（Ｓ１１）、第２セレクタ１０を電源回路５経由でバッテリーパック１０１の外部電源に設定する（Ｓ１２）。これによりＬＣＤ表示部とバッテリーパック１０１の外部電源で独立してデジタルカメラとして機能する。なお、ＬＣＤ表示部１００ａを独立してデジタルカメラとして機能させるときは、外部電源のバッテリーパック１０１を使用するので、内部電池１４は温存される。そのため、ＬＣＤ表示部１００ａとキー入力部１００ｂが結合された通常使用時に戻ったときは、電池切れの心配なく温存された内部電池を使用できる。
【００１７】
実施の形態２．
図４は実施の形態２である携帯電話装置のＬＣＤ表示部とキー入力部との逆挿し接続時の構成を示すブロック図である。なお、同一符号は実施の形態１と同一部分を示す。携帯電話装置の逆挿し接続時の動作について、図４および図５を用いて説明する。ＬＣＤ表示部１００ａとキー入力部１００ｃとが逆挿し接続で結合された逆挿し接続時には、検出回路チェックＳ１で、検出回路６のαラインがＬ、βラインがＨとなるため、検出回路６からは逆挿し接続モードを示す信号がグラフィックＣＰＵ１に送られる。なお、このとき、αラインはグランドに接地されている信号線Ｂに接続されるため、Ｌレベルとなり、βラインは電源のＨレベルが供給されている信号線Ｂに接続されるため、Ｈレベルとなる。上記逆挿し接続モードを示す信号を受け取ったグラフィックＣＰＵ１は、スレーブモードに自らを設定し（Ｓ２１）、第１セレクタ９の信号としてＢラインを選定し（Ｓ２２）、第２セレクタ１０を内部電源１４に設定する（Ｓ２３）。これによりＬＣＤ表示部１００ａとキー入力部１００ｃ間の信号線が入れ換わり、携帯電話の動作が可能となる。
【００１８】
この場合、通常背面に装着されているサブＬＣＤが無くても、折りたたんだ閉じた状態において、携帯電話の各種情報をＬＣＤ４に表示することが可能となる。図６は実施の形態２でＬＣＤ表示部とキー入力部とが逆挿し接続で結合され、折りたたんだ閉じた状態を示す斜視図である。折りたたんだとき、ＬＣＤ４の表示面は通常内側に配置されるが、逆挿し接続で結合されているので、ＬＣＤ４の表示面が外側に配置される。なお、ＬＣＤ４の表示面が外側に配置されたとき、表示方向が逆になるので、表示方向を逆にするのは効果的である。また、ＬＣＤ表示部とキー入力部とを折りたたんだ閉じた状態を検知するには、折りたたまれる内側に磁石とスイッチを配置し、折りたたまれて磁石が対向面を吸引した時、上記スイッチを動作させるようにすればよい。また、逆挿し接続で結合されている状態で、着信通話があったときは、キー入力部の両面にマイク搭載することにより、そのまま通話できるようにすることもできる。
【産業上の利用可能性】
【００１９】
この発明は、デジタルカメラが分離できる携帯電話装置に適用して好適である。
【図面の簡単な説明】
【００２０】
【図１】この発明の実施の形態１である携帯電話装置の構成を示すブロック図である。
【図２】実施の形態１である携帯電話装置を分離したＬＣＤ表示部とキー入力部並びにバッテリーパックを示す分解斜視図である。
【図３】実施の形態１である携帯電話装置のＬＣＤ表示部とバッテリーパック接続時の構成を示すブロック図である。
【図４】実施の形態２である携帯電話装置のＬＣＤ表示部とキー入力部との逆挿し接続時の構成を示すブロック図である。
【図５】この発明の動作モード設定を説明するフローチャートである。
【図６】実施の形態２でＬＣＤ表示部とキー入力部とが逆挿し接続で結合され、折りたたんだ閉じた状態を示す斜視図である。
【符号の説明】
【００２１】
１  グラフィック（制御用）ＣＰＵ        ２  シャッタースイッチ
３  メモリカード                        ４  ＬＣＤ
５  電源回路                            ６  検出回路
７  カメラ部                            ８  レシーバー
９  第１セレクタ                      １０  第２セレクタ
１１  メインＣＰＵ                      １２  キー群
１３  電源回路                          １４  内部電池
１５  音源生成回路                      １６  スピーカー
１７  フラッシュメモリ                  １８  無線部
１９  アンテナ                          ２０  マイク
５１  回動部                            ５２  ケース枠
５３  係合爪                            ５４  係合穴
５５  ピン端子群                        ５６  端子受け群
５７  ボタン                            ５８  ピン端子群
１００ａ  ＬＣＤ表示部                  １００ｂ  キー入力部
１００ｃ  キー入力部                    １０１  バッテリーパック
１０２ａ  接続用コネクタ                １０２ｂ  接続用コネクタ。
【図１】
2005223435.tif 000003
【図２】
2005223435.tif 000004
【図３】
2005223435.tif 000005
【図４】
2005223435.tif 000006
【図５】
2005223435.tif 000007
【図６】
2005223435.tif 000008